(57)【特許請求の範囲】
【請求項１】
電力負荷と、前記電力負荷に対して電力を供給するための分散型電源と、が接続されている電力線における、前記分散型電源よりも上流側において第１電力が発生した後に第２電力を発生させるべく前記第２電力の値を予測する電力予測装置であって、
前記電力負荷に第３電力が供給された後、前記第３電力の値に基づいて、前記電力負荷に供給されるべき第４電力の値を予測する第１予測部と、
前記分散型電源から前記電力負荷に向けて第５電力が発生した後、前記分散型電源が設けられている位置における日射量の予測値と定数との積に応じて、前記分散型電源から前記電力負荷に向けて発生するべき第６電力の値を予測する第２予測部と、
前記第４電力の値と前記第６電力の値との差に応じて、前記第２電力の値を予測する第３予測部と、を備え、
前記第３電力の値は、前記分散型電源が設けられている位置における前記第５電力が発生している際の日射量の値及び前記定数の積に応じた第７電力の値と、前記第１電力の値との和であり、
前記定数は、第１期間の前記第３電力の値と、前記第１期間とは異なる第２期間の前記第３電力の値との差が最小となるように定められる
ことを特徴とする電力予測装置。
【請求項２】
前記第１期間及び前記第２期間は夫々、同じ曜日であって異なる日に設定される
ことを特徴とする請求項１に記載の電力予測装置。
【請求項３】
前記第１電力を測定する第１測定装置、を更に備え、
前記第１予測部は、前記第１測定装置の測定結果に基づいて、前記第３電力の値を算出する
ことを特徴とする請求項１又は２に記載の電力予測装置。
【請求項４】
前記電力負荷が設けられている位置の気温を測定する第２測定装置、を更に備え、
前記第１予測部は、前記第３電力の値と前記第２測定装置の測定結果とに応じて定められる予測式に基づいて、前記第４電力の値を予測する
ことを特徴とする請求項３に記載の電力予測装置。
【請求項５】
前記電力負荷が設けられている位置の天気を観測する観測装置、を更に備え、
前記予測式は、前記観測装置の観測結果にも応じて定められる
ことを特徴とする請求項４に記載の電力予測装置。
【請求項６】
前記定数を示すデータが記憶される記憶装置、を更に備え、
前記第２予測部は、前記データに基づいて前記第６電力の値を予測する
ことを特徴とする請求項１乃至５の何れかに記載の電力予測装置。
【請求項７】
前記分散型電源は、太陽光発電装置である
ことを特徴とする請求項１乃至６の何れかに記載の電力予測装置。
【発明の詳細な説明】
【技術分野】
【０００１】
本発明は、電力予測装置に関する。
【背景技術】
【０００２】
例えば、負荷と分散型電源とが接続されるとともに、当該分散型電源よりも上流側の電源から電力が供給される配電線を有する配電系統が知られている（例えば特許文献１）。
【先行技術文献】
【特許文献】
【０００３】
【特許文献１】特開２０１２−１４７５７６号公報
【発明の概要】
【発明が解決しようとする課題】
【０００４】
一般に、特許文献１の配電系統を含め、負荷と分散型電源とが接続されるとともに、当該分散型電源よりも上流側の電源から電力が供給される配電線を有する配電系統において、電源から配電線に供給されるべき電力の値の予測が行われることがある。この電力の値の予測は、例えば、電源から配電線に過去に供給された電力の値に基づいて行われる。しかし、電源から配電線に過去に供給された電力の値は、天気の変動等に応じた分散型電源の発電量に基づいて、比較的大きく変動することがある。よって、電源から配電線に供給されるべき電力の値を予測する予測精度が低下する虞がある。
【課題を解決するための手段】
【０００５】
前述した課題を解決する主たる本発明は、電力負荷と、前記電力負荷に対して電力を供給するための分散型電源と、が接続されている電力線における、前記分散型電源よりも上流側において第１電力が発生した後に第２電力を発生させるべく前記第２電力の値を予測する電力予測装置であって、前記電力負荷に第３電力が供給された後、前記第３電力の値に基づいて、前記電力負荷に供給されるべき第４電力の値を予測する第１予測部と、前記分散型電源から前記電力負荷に向けて第５電力が発生した後、前記分散型電源が設けられている位置における日射量の予測値と定数との積に応じて、前記分散型電源から前記電力負荷に向けて発生するべき第６電力の値を予測する第２予測部と、前記第４電力の値と前記第６電力の値との差に応じて、前記第２電力の値を予測する第３予測部と、を備え、前記第３電力の値は、前記分散型電源が設けられている位置における前記第５電力が発生している際の日射量の値及び前記定数の積に応じた第７電力の値と、前記第１電力の値との和であり、前記定数は、第１期間の前記第３電力の値と、前記第１期間とは異なる第２期間の前記第３電力の値との差が最小となるように定められることを特徴とする電力予測装置である。
【０００６】
本発明の他の特徴については、添付図面及び本明細書の記載により明らかとなる。
【発明の効果】
【０００７】
本発明によれば、電力線における分散型電源よりも上流側において発生させるべき電力の値の予測精度を向上させることができる。
【図面の簡単な説明】
【０００８】
【図１】本発明の第１実施形態における配電系統を示す図である。
【図２】本発明の第１実施形態における潮流量、需要量、発電量を示す図である。
【図３】本発明の第１及び第２実施形態における予測装置の機能を示すブロック図である。
【図４】本発明の第１及び第２実施形態における過去情報を示す図である。
【図５】本発明の第１実施形態における未来情報を示す図である。
【図６】本発明の第１実施形態における過去の時刻と過去の日射量と過去の推定発電量とを示す図である。
【図７】本発明の第１実施形態における過去の時刻と過去の潮流量と過去の推定発電量と過去の推定需要量とを示す図である。
【図８】本発明の第１実施形態における予測式生成部で算出された過去の推定需要量の一例を示す図である。
【図９】本発明の第１実施形態における予測式生成部で算出された推定需要量の他の一例を示す図である。
【図１０】本発明の第１実施形態における未来の時刻と日射量の予測値と予測発電量と予測需要量と予測潮流量とを示す図である。
【図１１】本発明の第１実施形態における予測式生成部が日射量係数の係数値を決定する動作を示すフローチャートである。
【図１２】本発明の第１実施形態における予測装置の動作を示すフローチャートである。
【図１３】本発明の第２実施形態における配電系統を示す図である。
【発明を実施するための形態】
【０００９】
本明細書および添付図面の記載により、少なくとも以下の事項が明らかとなる。
【００１０】
[第１実施形態]
＝＝＝配電系統＝＝＝
以下、図１を参照して、本実施形態における配電系統について説明する。図１は、本実施形態における配電系統を示す図である。
【００１１】
配電系統１００は、例えば負荷Ｒ１、Ｒ２（電力負荷）に対して変電所２００からの電力を供給するための電力系統である。
【００１２】
配電系統１００は、変電所２００、予測装置３、例えば２本の配電線Ｌ１０、Ｌ２０（電力線）、負荷Ｒ１、Ｒ２、発電機Ｇ１、Ｇ２（分散型電源）、第２測定装置Ｍ１２、Ｍ２２を有する。尚、例えば、配電系統１００に設けられる配電線の本数は、３本以上であってもよい。
【００１３】
変電所２００は、上流側から供給された電力を降圧して、当該降圧された電力を配電線Ｌ１０、Ｌ２０に供給するための、例えば配電用変電所である。変電所２００は、配電用変圧器１０１、母線Ｌ１、第１測定装置Ｍ１１、Ｍ２１を有する。
【００１４】
配電用変圧器１０１は、例えば一次側の電圧を所定の変圧比で変圧して、当該変圧された電圧を二次側から出力する装置である。配電用変圧器１０１の一次側は、送電線Ｌ２００の一端に接続される。尚、送電線Ｌ２００は、例えば変電所２００よりも上流側の一次変電所（不図示）からの電圧を、変電所２００に供給するための送電線である。配電用変圧器１０１の二次側は、母線Ｌ１に接続される。
【００１５】
母線Ｌ１は、配電用変圧器１０１からの電力を配電線Ｌ１０及び配電線Ｌ２０に供給するための電力線であり、例えば変電所２００に設けられる。
【００１６】
第１測定装置Ｍ１１は、母線Ｌ１から配電線Ｌ１０に供給される電力Ｗ１（配電線Ｌ１０における発電機Ｇ１よりも上流側において発生する電力Ｗ１）を測定し、当該測定結果を示す第１測定信号Ｓ１１を出力する装置である。尚、第１測定信号Ｓ１１は、第１測定装置Ｍ１１の測定結果を示す情報と当該測定が行われた時刻（現在の時刻）を示す情報とが対応付けられている信号であることとする。尚、母線Ｌ１から配電線Ｌ１０に供給される電力の値を、配電線Ｌ１０の潮流量とも称することとする。第１測定装置Ｍ１１は、配電線Ｌ１０における母線Ｌ１との接続点Ｐ１１の近傍の電力を計測できるように、変電所２００に設けられる。
【００１７】
第１測定装置Ｍ２１は、母線Ｌ１から配電線Ｌ２０に供給される電力Ｚ１（配電線Ｌ２０における発電機Ｇ２よりも上流側において発生する電力Ｚ１）を測定し、当該測定結果を示す第１測定信号Ｓ２１を出力する装置である。尚、第１測定信号Ｓ２１は、第１測定装置Ｍ２１の測定結果を示す情報と当該測定が行われた時刻（現在の時刻）を示す情報とが対応付けられている信号であることとする。尚、母線Ｌ１から配電線Ｌ２０に供給される電力の値を、配電線Ｌ２０の潮流量とも称することとする。第１測定装置Ｍ２１は、配電線Ｌ２０における母線Ｌ１との接続点Ｐ２１の近傍の電力を計測できるように、変電所２００に設けられる。
【００１８】
配電線Ｌ１０は、上流側の変電所２００から下流側の負荷Ｒ１に向かって延在する電力線である。配電線Ｌ１０における上流側の一端は、母線Ｌ１における接続点Ｐ１１に接続される。
【００１９】
配電線Ｌ２０は、上流側の変電所２００から下流側の負荷Ｒ２に向かって延在する電力線である。配電線Ｌ２０における上流側の一端は、母線Ｌ１における接続点Ｐ２１に接続される。
【００２０】
負荷Ｒ１は、配電線Ｌ１０に接続される電力負荷である。尚、配電線Ｌ１０には、例えば負荷が複数接続される。負荷Ｒ１は、説明の便宜上、例えば当該配電線Ｌ１０に接続される複数の負荷を示していることとする。負荷Ｒ１は、配電線Ｌ１０からの電力Ｗ３が供給されるように、配電線Ｌ１０における接続点Ｐ１３に接続される。尚、配電線Ｌ１０から負荷Ｒ１に供給される電力の値を、配電線Ｌ１０の需要量とも称することとする。
【００２１】
負荷Ｒ２は、配電線Ｌ２０に接続される電力負荷である。尚、配電線Ｌ２０には、例えば負荷が複数接続される。負荷Ｒ２は、説明の便宜上、例えば当該配電線Ｌ２０に接続される複数の負荷を示していることとする。負荷Ｒ２は、配電線Ｌ２０からの電力Ｚ３が供給されるように、配電線Ｌ２０における接続点Ｐ２３に接続される。尚、配電線Ｌ２０から負荷Ｒ２に供給される電力の値を、配電線Ｌ２０の需要量とも称することとする。
【００２２】
発電機Ｇ１は、負荷Ｒ１に対して電力を供給するための、配電線Ｌ１０に接続される例えば太陽光発電装置である。尚、配電線Ｌ１０には、例えば太陽光発電装置が複数接続される。発電機Ｇ１は、説明の便宜上、例えば当該配電線Ｌ１０に接続される複数の太陽光発電装置を示していることとする。発電機Ｇ１は、発電機Ｇ１で発電された電力Ｗ２を配電線Ｌ１０に対して供給できるように、配電線Ｌ１０における接続点Ｐ１２に接続される。つまり、発電機Ｇ１は、発電機Ｇ１から負荷Ｒ１に向けて電力Ｗ２を発生させることになる。尚、発電機Ｇ１から配電線Ｌ１０に供給される電力の値を、発電機Ｇ１の発電量とも称することとする。
【００２３】
発電機Ｇ２は、負荷Ｒ２に対して電力を供給するための、配電線Ｌ２０に接続される例えば太陽光発電装置である。尚、配電線Ｌ２０には、例えば太陽光発電装置が複数接続される。発電機Ｇ２は、説明の便宜上、例えば当該配電線Ｌ２０に接続される複数の太陽光発電装置を示していることとする。発電機Ｇ２は、発電機Ｇ２で発電された電力Ｚ２を配電線Ｌ２０に対して供給できるように、配電線Ｌ２０における接続点Ｐ２２に接続される。つまり、発電機Ｇ２は、発電機Ｇ２から負荷Ｒ２に向けて電力Ｚ２を発生させることになる。尚、発電機Ｇ２から配電線Ｌ２０に供給される電力の値を、発電機Ｇ２の発電量とも称することとする。
【００２４】
第２測定装置Ｍ１２は、負荷Ｒ１が設けられている地域（位置）の現在の気温及び発電機Ｇ１が設けられている地域（位置）の現在の日射量を測定し、当該測定結果を示す第２測定信号Ｓ１２を出力する装置である。尚、第２測定信号Ｓ１２は、第２測定装置Ｍ１２の測定結果を示す情報と当該測定が行われた時刻（現在の時刻）を示す情報とが対応付けられている信号であることとする。
【００２５】
第２測定装置Ｍ２２は、負荷Ｒ２が設けられている地域（位置）の現在の気温及び発電機Ｇ２が設けられている地域（位置）の現在の日射量を測定し、当該測定結果を示す第２測定信号Ｓ２２を出力する装置である。尚、第２測定信号Ｓ２２は、第２測定装置Ｍ２２の測定結果を示す情報と当該測定が行われた時刻（現在の時刻）を示す情報とが対応付けられている信号であることとする。
【００２６】
気象情報装置４は、負荷Ｒ１、Ｒ２が設けられている地域（位置）夫々の現在の天候（天気）を示す気象信号Ｓ４１を出力する装置である。尚、気象信号Ｓ４１は、現在の時刻を示す情報と上述の現在の天候を示す情報とが対応付けられている信号であることとする。気象情報装置４は、例えば気象庁に設けられている。気象情報装置４は、例えば負荷Ｒ１、Ｒ２が設けられている地位（位置）夫々に設けられた気象情報測定装置（不図示）からの気象情報に基づいて、気象信号Ｓ４１を出力する。尚、気象情報とは、例えば、負荷Ｒ１、Ｒ２、発電機Ｇ１、Ｇ２が設けられている地域夫々における、気温、湿度、雨量、雲量、風速、日射量、天気、天候等である。これらの、気温、湿度、雨量、雲量、風速、日射量、天気、天候等は、例えば気象情報測定装置によって、測定又は観測されることとする。尚、気象情報装置４及び気象情報測定装置が、観測装置に相当する。
【００２７】
気象情報装置４は、発電機Ｇ１、Ｇ２が設けられている地域（位置）夫々における未来（将来）の日射量の予測値を示す気象信号Ｓ４２を更に出力する。尚、未来の日射量の予測値とは、例えば未来の所定時刻から所定期間経過後までの間における３０分毎の日射量の予測値を示す。尚、未来の日射量の予測値は、３０分毎の日射量の予測値に限られず、例えば１０分毎の日射量の予測値でもよく、１時間毎の日射量の予測値でもよい。気象情報装置４は、例えば、上述の気象情報測定装置からの気象情報に基づいて、発電機Ｇ１、Ｇ２が設けられている地域夫々における未来（将来）の日射量の予測することとする。
【００２８】
予測装置３は、第１測定信号Ｓ１１、Ｓ２１、第２測定信号Ｓ１２、Ｓ２２、気象信号Ｓ４１、Ｓ４２等に基づいて、未来の配電線Ｌ１０の需要量、未来の配電線Ｌ１０の潮流量、未来の発電機Ｇ１の発電量、未来の配電線Ｌ２０の需要量、未来の配電線Ｌ２０の潮流量、未来の発電機Ｇ２の発電量を予測し、当該予測結果を出力する装置である。予測装置３は、例えば営業所３００に設けられる。尚、例えば、予測装置３が営業所３００以外の変電所２００又は配電系統１００を制御するための制御所（不図示）等に設けられていることとしてもよい。尚、予測装置３については、後述する。
【００２９】
尚、予測装置３、第１測定装置Ｍ１１、Ｍ２１、第２測定装置Ｍ１２、Ｍ２２、気象情報装置４、気象情報測定装置が、電力予測装置に相当する。
【００３０】
＝＝＝潮流量、需要量、発電量＝＝＝
以下、図１及び図２を参照して、本実施形態における潮流量、需要量、発電量について説明する。
【００３１】
図２は、本実施形態における潮流量、需要量、発電量を示す図である。尚、図２は、例えば一日における、配電線Ｌ１０の潮流量Ｗ１、配電線Ｌ１０の需要量Ｗ３、発電機Ｇ１の発電量Ｗ２が示されている。横軸Ｘ１は、一日における時間を示している。横軸Ｘ１におけるＴａ１は例えば午前０時を示し、時刻Ｔａ２は日の出の時刻に対応する例えば午前７時を示し、時刻Ｔａ３は日の入りの時刻に対応する例えば午後５時を示していることとする。縦軸Ｙ１は、潮流量Ｗ１、需要量Ｗ３、発電量Ｗ２の大きさを示している。尚、図２における潮流量Ｗ１、需要量Ｗ３、発電量Ｗ２は、例えばシミュレーション等によって求められたものであることとする。
【００３２】
尚、過去の潮流量Ｗ１における電力が第１電力に相当し、過去の発電量Ｗ２における電力が第５電力に相当し、過去の需要量Ｗ３における電力が第３電力に相当する。
【００３３】
例えば時刻Ｔａ１から時刻Ｔａ２までの第１期間Ｄ１１（例えば夜間）では、発電量Ｗ２は、略０となる。第１期間Ｄ１１では、潮流量Ｗ１及び需要量Ｗ３が略一致する。尚、図２においては、第１期間Ｄ１１では、潮流量Ｗ１及び需要量Ｗ３が略一致しているので、説明の便宜上、潮流量Ｗ１及び需要量Ｗ３は、一本の線で示されている。
【００３４】
例えば時刻Ｔａ２から時刻Ｔａ３までの第２期間Ｄ１２（例えば日中）では、発電量Ｗ２は、時間に応じて変動している。これは、例えば、第２期間Ｄ１２において、時間に応じて発電機Ｇ１が設けられている地域の日射量が変動していることによるものである。又、第２期間Ｄ１２では、潮流量Ｗ１が、需要量Ｗ３よりも小さくなっている。これは、例えば、発電機Ｇ１から配電線Ｌ１０に供給される電力及び母線Ｌ１から配電線Ｌ１０に供給される電力の双方が、当該配電線Ｌ１０から負荷Ｒ１に対して供給されているためである。
【００３５】
例えば時刻Ｔａ３以降の第３期間Ｄ１３（例えば夜間）では、発電量Ｗ２は、略０となる。第３期間Ｄ１３では、潮流量Ｗ１及び需要量Ｗ３が略一致する。尚、図２においては、第３期間Ｄ１３では、潮流量Ｗ１及び需要量Ｗ３が略一致しているので、説明の便宜上、潮流量Ｗ１及び需要量Ｗ３は、一本の線で示されている。
【００３６】
以上より、潮流量Ｗ１、需要量Ｗ３、発電量Ｗ２の間には、一般的に以下の式１の関係が成立する。
0005461717.tif 000002
【００３７】
尚、配電線Ｌ２０の潮流量Ｚ１、配電線Ｌ２０の需要量Ｚ３、発電機Ｇ２の発電量Ｚ２の構成は、配電線Ｌ１０の潮流量Ｗ１、配電線Ｌ１０の需要量Ｗ３、発電機Ｇ１の発電量Ｗ２の構成と同様である。
【００３８】
＝＝＝予測装置＝＝＝
以下、図３を参照して、本実施形態における予測装置について説明する。図３は、本実施形態における予測装置の機能を示すブロック図である。
【００３９】
予測装置３は、第１測定信号Ｓ１１、Ｓ２１、第２測定信号Ｓ１２、Ｓ２２、気象信号Ｓ４１、Ｓ４２（以下、「各信号」とも称する）等に基づいて、未来の配電線Ｌ１０の需要量、未来の配電線Ｌ１０の潮流量、未来の発電機Ｇ１の発電量、未来の配電線Ｌ２０の需要量、未来の配電線Ｌ２０の潮流量、未来の発電機Ｇ２の発電量を予測し、当該予測結果を出力する装置である。予測装置３は、例えば営業所３００に設けられる。
【００４０】
予測装置３は、入力部３１、出力部３２、表示部３３、送受信部３４、記憶部３５（記憶装置）、予測式生成部３６、予測部３７、制御部３８を有する。
【００４１】
入力部３１は、予測装置３に対して情報を入力するための例えばキーボードである。
【００４２】
出力部３２は、予測装置３の外部に情報を出力するための例えばプリンタである。
【００４３】
表示部３３は、予測装置３に入力された情報を表示したり、予測装置３から出力される情報を表示したりするための例えばモニタである。
【００４４】
送受信部３４は、第１測定装置Ｍ１１、Ｍ２１、第２測定装置Ｍ１２、Ｍ２２、気象情報装置４（以下、「各装置」とも称する）と通信を行う。予測装置３は、各装置との間で通信できるように、例えば通信ケーブル（不図示）又は無線通信ネットワーク（不図示）を介して各装置と接続されているものとする。送受信部３４は、各装置から出力された各信号を、例えば３０分毎等の所定周期で受信する。尚、各信号は、例えば、所定周期で各装置から出力されることとしてもよい。又、各信号は、例えば、所定周期で送受信部３４から各装置に対して送信される要求信号（不図示）に基づいて出力されることとしてもよい。
【００４５】
尚、送受信部３４が受信する第１測定信号Ｓ１１、Ｓ２１、第２測定信号Ｓ１２、Ｓ２２、気象信号Ｓ４１夫々に示されている現在の時刻（測定が行われた時刻）は、例えば相互に同期がとれているものとする。又、気象信号Ｓ４２では、例えば、現在の時刻の３０分後から１日経過（２４時間経過）後までの間における３０分毎の未来の日射量の予測値が示されていることとする。
【００４６】
記憶部３５は、例えば、第１の領域３５１、第２の領域３５２、第３の領域３５３を有する。 
第１の領域３５１には、例えば、予測装置３を動作させるためのプログラムが記憶されている。第１の領域３５１には、更に、例えば、予測式を生成するためのプログラム、予測を行うためのプログラムが記憶されている。尚、予測式については、後述する。
【００４７】
第２の領域３５２には、例えば、過去情報Ｄ１（図４）、未来情報Ｄ２（図５）が記憶される。尚、過去情報Ｄ１、未来情報Ｄ２については、後述する。
【００４８】
第２の領域３５２には、例えば、配電線Ｌ２０に関する過去情報（不図示）、配電線Ｌ２０に関する未来情報（不図示）が更に記憶される。尚、配電線Ｌ２０に関する過去情報、配電線Ｌ２０に関する未来情報は夫々、配電線Ｌ２０に関する情報であり、過去情報Ｄ１、未来情報Ｄ２と同様な構成であることとする。
【００４９】
第３の領域３５３には、例えば、日射量係数α１、α２の係数値（定数）を示す情報（データ）と、予測式を示す情報とが記憶される。尚、日射量係数α１は、発電機Ｇ１が設けられている地域の過去の日射量及び未来の日射量の予測値に基づいて、発電機Ｇ１の過去の発電量の推定値（以下、「過去の推定発電量」とも称する）（第７電力の値）及び発電機Ｇ１の未来の発電量の予測値（以下、「未来の予測発電量」とも称する）（第６電力の値）を算出するための係数である。日射量係数α２は、発電機Ｇ２が設けられている地域の過去の日射量及び未来の日射量の予測値に基づいて、発電機Ｇ２の過去の発電量の推定値及び発電機Ｇ２の未来の発電量の予測値を算出するための係数である。尚、日射量係数α１、α２は相互に同様な構成なので、日射量係数α１についてのみ説明し、日射量係数α２の説明については省略する。尚、日射量係数α１については、後述する。
【００５０】
予測式生成部３６は、例えば第２の領域３５２に記憶されている情報等に基づいて、日射量係数α１、α２を決定したり、予測式を生成したりする。尚、予測式は、配電線Ｌ１０の未来の需要量の予測値（以下、「未来の予測需要量」とも称する）（第４電力の値）、配電線Ｌ２０の未来の需要量の予測値を算出するための数式である。尚、配電線Ｌ１０の未来の需要量の予測値を算出するための予測式と、配電線Ｌ２０の未来の需要量の予測値を算出するための予測式は同様な構成であるので、配電線Ｌ１０の未来の需要量の予測値を算出するための予測式についてのみ説明し、配電線Ｌ２０の未来の需要量の予測値を算出するための予測式については、その説明を省略する。尚、予測式については、後述する。
【００５１】
予測部３７は、上述の配電線Ｌ１０の需要量の予測値を算出する予測式、日射量係数α１に基づいて、配電線Ｌ１０の未来の需要量の予測値、配電線のＬ１０の未来の潮流量の予測値（以下、「未来の予測潮流量」とも称する）（第２電力の値）、発電機Ｇ１の発電量の予測値を算出する（以下、「予測部３７の第１の予測機能」とも称する）。予測部３７は、上述の配電線Ｌ２０の需要量の予測値を算出する予測式、日射量係数α２に基づいて、配電線Ｌ２０の需要量の予測値、配電線Ｌ２０の未来の潮流量の予測値、発電機Ｇ２の未来の発電量の予測値を算出する（以下、「予測部３７の第２の予測機能」とも称する）。尚、予測部３７の第１の予測機能と予測部３７の第２の予測機能は、同様な構成なので、予測部３７の第１の予測機能についてのみ説明し、予測部３７の第２の予測機能については、その説明を省略する。尚、予測部３７については、後述する。
【００５２】
制御部３８は、例えば予測式を生成するためのプログラムに基づいて、予測式生成部３６を制御する。制御部３８は、例えば予測を行うためのプログラムに基づいて、予測部３７を制御する。制御部３８は、例えば予測装置３を動作させるためのプログラムに基づいて、予測装置３の動作を制御する。
【００５３】
尚、予測式生成部３６及び予測部３７が、第１予測部に相当する。又、予測式生成部３６及び予測部３７が、第２予測部にも相当する。予測部３７が、第３予測部に相当する。
【００５４】
＝＝＝過去情報＝＝＝
以下、図４を参照して、本実施形態における過去情報について説明する。図４は、本実施形態における過去情報を示す図である。
【００５５】
過去情報Ｄ１は、送受信部３４で受信した第１測定信号Ｓ１１、第２測定信号Ｓ１２、気象信号Ｓ４１に基づく情報である。つまり、過去情報Ｄ１は、過去における情報である。過去情報Ｄ１では、第１測定信号Ｓ１１、第２測定信号Ｓ１２及び気象信号Ｓ４１に示されている時刻と、第１測定信号Ｓ１１に示されている配電線Ｌ１０の潮流量と、第２測定信号Ｓ１２に示されている負荷Ｒ１が設けられている地域の気温及び発電機Ｇ１が設けられている地域の日射量と、気象信号Ｓ４１に示されている負荷Ｒ１が設けられている地域の天候とが相互に対応付けられた情報である。過去情報Ｄ１では、送受信部３４が各信号を受信する毎に、当該対応付けられた情報が順次記憶される。
【００５６】
過去情報Ｄ１においては、時刻Ｔ１乃至Ｔｎは、時刻Ｔ１乃至Ｔｎのうち時刻Ｔ１が最も現在に近い過去の時刻であり、時刻Ｔｎが最も現在から遠い過去の時刻となるように時系列に並べられている。
【００５７】
又、過去情報Ｄ１における、潮流量ｗ１（Ｔ１）、ｗ１（Ｔ２）、ｗ１（Ｔｎ）は夫々、時刻Ｔ１、Ｔ２、Ｔｎにおける配電線Ｌ１０の潮流量を示し、気温Ｔｅ（Ｔ１）、Ｔｅ（Ｔ２）、Ｔｅ（Ｔｎ）は夫々、時刻Ｔ１、Ｔ２、Ｔｎにおける負荷Ｒ１が設けられている地域の気温を示し、日射量Ｐ１（Ｔ１）、Ｐ１（Ｔ２）、Ｐ１（Ｔｎ）は夫々、時刻Ｔ１、Ｔ２、Ｔｎにおける発電機Ｇ１が設けられている地域の日射量を示し、天候Ｅ（Ｔ１）、Ｅ（Ｔ２）、Ｅ（Ｔｎ）は夫々、時刻Ｔ１、Ｔ２、Ｔｎにおける負荷Ｒ１が設けられている地域の天候を示している。
【００５８】
＝＝＝未来情報＝＝＝
以下、図５を参照して、本実施形態における未来情報について説明する。図５は、本実施形態における未来情報を示す図である。
【００５９】
未来情報Ｄ２は、送受信部３４で受信した気象信号Ｓ４２に基づく情報である。つまり、未来情報Ｄ２は、未来における予測値を示す情報である。未来情報Ｄ２は、例えば、現在の時刻の３０分後から１日経過（２４時間経過）後までの間における３０分毎の各時刻と、当該各時刻における発電機Ｇ１が設けられている地域の未来の日射量の予測値とが相互に対応付けられた情報である。未来情報Ｄ２は、例えば送受信部３４が各信号を受信する毎に、直近の気象信号Ｓ４２に基づく情報に更新されることとする。
【００６０】
未来情報Ｄ２では、時刻Ｔｆ１乃至Ｔｆｎは、時刻Ｔｆ１乃至Ｔｆｎのうち時刻Ｔｆ１が最も現在に近い未来の時刻であり、時刻Ｔｆｎが最も現在から遠い未来の時刻となるように時系列に並べられている。
【００６１】
又、未来情報Ｄ２においては、未来の日射量の予測値Ｐ２（Ｔｆ１）、Ｐ２（Ｔｆ２）、Ｐ２（Ｔｆｎ）は夫々、時刻Ｔｆ１、Ｔｆ２、Ｔｆｎにおける発電機Ｇ１が設けられている位置の未来の日射量の予測値を示している。
【００６２】
＝＝＝予測式生成部＝＝＝
以下、図１、図６乃至図９を参照して、本実施形態における予測式生成部について説明する。
【００６３】
図６は、本実施形態における過去の時刻と過去の日射量と過去の推定発電量とを示す図である。図７は、本実施形態における過去の時刻と過去の潮流量と過去の推定発電量と過去の推定需要量とを示す図である。
【００６４】
図８は、本実施形態における予測式生成部で算出された過去の推定需要量の一例を示す図である。尚、図８は、例えば、日射量係数α１の係数値が２のときの、過去の第１の日、過去の第２の日夫々における、一日の推定需要量を示している。横軸Ｘ２は、一日における時間を示している。時刻Ｔａ２１、Ｔａ２２、Ｔａ２３は夫々、時刻Ｔａ１、Ｔａ２、Ｔａ３（図２）と同様な時刻を示している。縦軸Ｙ２は、第１の日の推定需要量Ｗ３１、第２の日の推定需要量Ｗ３２の大きさを示している。
【００６５】
図９は、本実施形態における予測式生成部で算出された推定需要量の他の一例を示す図である。尚、図９は、例えば、日射量係数α１の係数値が４．５のときの、過去の第１の日、過去の第２の日夫々における、推定需要量を示している。横軸Ｘ３は、一日における時間を示している。時刻Ｔａ３１、Ｔａ３２、Ｔａ３３は夫々、時刻Ｔａ１、Ｔａ２、Ｔａ３（図２）と同様な時刻を示している。縦軸Ｙ３は、第１の日の推定需要量Ｗ３３、第２の日の推定需要量の大きさを示している。つまり、推定需要量Ｗ３３と推定需要量Ｗ３１（図８）の双方は、同一の日（第１の日）の推定需要量を示し、推定需要量Ｗ３４と推定需要量Ｗ３２（図８）の双方は、同一の日（第２の日）の推定需要量を示している。
【００６６】
予測式生成部３６は、前述したように、例えば第２の領域３５２に記憶されている情報等に基づいて、日射量係数α１、α２を決定したり、予測式を生成したりする。
【００６７】
＝予測式＝
一般に、配電線Ｌ１０の未来の予測需要量を算出するための予測式は、例えば重回帰分析等を用いて生成される。この場合、過去の所定期間における配電線Ｌ１０の需要量を示す情報が必要となる。しかし、負荷Ｒ１は、前述したように、配電線Ｌ１０に対して複数設けられている負荷であるので、当該負荷Ｒ１に対して配電線Ｌ１０から供給される電力である需要量を実測するのは、例えば測定コスト等の観点等から困難である。又、例えば式１より、過去の潮流量Ｗ１と過去の発電量Ｗ２の和に基づいて配電線Ｌ１０の過去の需要量Ｗ３を算出する場合、過去の発電量Ｗ２を示す情報が必要となる。しかし、発電機Ｇ１は、前述したように、配電線Ｌ１０に対して複数設けられている発電機であるので、当該発電機の発電量を実測するのは、例えば測定コスト等の観点から困難である。
【００６８】
従って、予測式生成部３６は、発電機Ｇ１の過去の推定発電量を算出し、当該算出された過去の推定発電量等に基づいて配電線Ｌ１０の過去の推定需要量（第３電力の値）を算出し、その後、当該過去の推定需要量等に基づいて予測式を生成する。尚、過去の推定需要量は、過去の需要量の推定値である。
【００６９】
＜発電機Ｇ１の過去の推定発電量の算出＞
予測式生成部３６は、以下の式２に基づいて発電機Ｇ１の過去の所定期間における推定発電量ｗ２（Ｔｊ）を算出する（図６）。  
0005461717.tif 000003
【００７０】
尚、式２のｊは、整数１〜ｋの全てに対応している。尚、式２のｊにおける最大値に対応する整数ｋは、予測式の生成のために利用される過去の推定需要量のデータの個数に対応する整数である。整数ｋは、例えば、過去の所定期間（例えば、過去の１カ月又は例えば４カ月等）における過去の推定需要量のデータの個数に対応する数値であり、整数１以上整数ｎ以下の整数である。尚、上述の整数ｎは、過去情報Ｄ１（図４）として記憶されている過去の日射量のデータの個数に対応する整数である。
【００７１】
つまり、予測式生成部３６は、過去情報Ｄ１における過去の日射量Ｐ１（Ｔｊ）と日射量係数α１との積に基づいて、過去の推定発電量ｗ２（Ｔｊ）を算出する。尚、日射量係数α１の係数値については、予測式生成部３６に決定されるが、当該予測式生成部３６による日射量係数α１の決定については後述する。
【００７２】
＜配電線Ｌ１０の推定需要量の算出＞
予測式生成部３６は、以下の式３に基づいて配電線Ｌ１０の過去の所定期間における推定需要量ｗ３（Ｔｊ）を算出する（図７）。  
0005461717.tif 000004
尚、式３のｊは、式２のｊと同様の構成である。
【００７３】
予測式生成部３６は、過去情報Ｄ１における過去の潮流量ｗ１（Ｔｊ）と過去の発電量ｗ２（Ｔｊ）との和に基づいて、過去の推定需要量ｗ３（Ｔｊ）を算出する。
【００７４】
＜予測式の生成＞
予測式生成部３６は、上述したように式３に基づいて算出された過去の推定需要量ｗ３（Ｔｊ）と、過去情報Ｄ１に記憶されている過去の気温Ｔｅ（Ｔｊ）、過去の天候Ｅ（Ｔｊ）に基づいて予測式（式４）を生成する。  
0005461717.tif 000005
【００７５】
尚、係数Ａ１乃至Ａｉ、係数Ｂ１乃至Ｂｉ、係数Ｃ１乃至Ｃｉは、過去の需要量推定値（ｗ３（Ｔｊ））、過去の気温（Ｔｅ（Ｔｊ））、過去の天候（Ｅ（Ｔｊ））等に基づいて、例えば重回帰分析により算出される。整数ｉは、例えば整数１より大きく且つ上述の式２における整数ｋよりも小さい整数に対応した整数である。過去の推定需要量ｗ３（ｔ−１）、ｗ３（ｔ−２）、ｗ３（ｔ−ｉ）は夫々、例えば、過去の推定需要量ｗ３（Ｔ１）、ｗ３（Ｔ２）、ｗ３（Ｔｉ）（図７）に対応している。過去の気温Ｔｅ（ｔ−１）、Ｔｅ（ｔ−２）、Ｔｅ（ｔ−ｉ）は夫々、例えば、過去の気温Ｔｅ（Ｔ１）、Ｔｅ（Ｔ２）、Ｔｅ（Ｔｉ）（図４）に対応している。過去の天候Ｅ（ｔ−１）、Ｅ（ｔ−２）、Ｅ（ｔ−ｉ）は夫々、例えば、過去の天候Ｅ（Ｔ１）、Ｅ（Ｔ２）、Ｅ（Ｔｉ）（図４）に対応している。
【００７６】
＝日射量係数α１の決定＝
予測式生成部３６は、過去の推定需要量に基づいて、日射量係数α１の係数値を決定する。予測式生成部３６は、所定のデータを過去情報Ｄ１（図４）から抽出し、当該抽出されたデータ基づいて過去の推定需要量を算出した後、当該算出された過去の推定需要量を規格化し、当該規格化された推定需要量における同じ曜日同士の波形を比較する。その後、予測式生成部３６は、例えば、ユークリッド距離の総和が最小となるように日射量係数α１の係数値を決定する。
【００７７】
＜所定のデータの抽出＞
予測式生成部３６は、過去の所定期間における過去の潮流量ｗ３と、過去の日射量Ｐ１を過去情報Ｄ１から抽出する。尚、過去の所定期間とは、例えば、日射量係数α１を用いて推定発電量の推定が行われる過去の所定の日から一カ月前までの日の一カ月間に対応する期間である。又、過去の所定期間は、例えば、直近の過去の一カ月間としてもよい。
【００７８】
＜推定需要量の算出＞
予測式生成部３６は、当該抽出された過去の所定期間における潮流量ｗ３、過去の日射量Ｐ１、式２に基づいて過去の推定需要量ｗ３を算出する。このとき、予測式生成部３６は、日射量係数α１の係数値をパラメータとして、推定需要量を当該パラ―メタの値の個数に応じて複数算出する。尚、日射量係数α１の係数値は、０以上の実数である。予測式生成部３６が、日射量係数α１の係数値を実数２、及び、日射量係数α１の係数値を実数４．５として、推定需要量を算出する場合について説明する。
【００７９】
予測式生成部３６は、日射量係数α１の係数値が実数２であるときの推定需要量（例えば図８）と、日射量係数α１の係数値が実数４．５であるときの推定需要量（例えば図９）を算出する。
【００８０】
尚、図８では、過去の所定期間（過去の潮流量ｗ３、過去の日射量Ｐ１が抽出された期間）における、第１の日の推定需要量Ｗ３１及び第２の日の推定需要量Ｗ３２が示されている。第１の日、第２の日は、同じ曜日であり、且つ、天候が相互に異なる日であることとする。第１の日、第２の日の双方は、例えば木曜日である。更に、第１の日、第２の日の天候は夫々、例えば晴れ、曇りである。つまり、第１の日（第１期間）、第２の日（第２期間）は夫々、同じ曜日であって異なる日に設定される。
【００８１】
又、図９では、過去の所定期間（過去の潮流量ｗ３、過去の日射量Ｐ１が抽出された期間）における、第１の日の推定需要量Ｗ３３及び第２の日の推定需要量Ｗ３４が示されている。第１の日、第２の日は、同じ曜日であり、且つ、天候が相互に異なる日であることとする。第１の日、第２の日の双方は、例えば木曜日である。更に、第１の日、第２の日の天候は夫々、例えば晴れ、曇りである。つまり、第１の日（第１期間）、第２の日（第２期間）は夫々、同じ曜日であって異なる日に設定される。更に、図８の第１の日と図９の第１の日同士は同じ日であり、図８の第２の日と図９の第２の日同士は同じ日である。
【００８２】
一般的に同じ曜日における、時間に対する需要量（配電線Ｌ１０から負荷Ｒ１に供給される電力）は略同様となる。従って、例えば、推定需要量Ｗ３１、Ｗ３２同士は、相互に対応した波形となる（図８）。又、例えば、推定需要量Ｗ３３、Ｗ３４同士は、相互に対応した波形となる（図９）
例えば、第２期間Ｄ２２（図８）における推定需要量Ｗ３１、Ｗ３２の差は、第１期間Ｄ２１推定需要量Ｗ３１、Ｗ３２の差及び、第３期間Ｄ２３における第１期間Ｄ２１推定需要量Ｗ３１、Ｗ３２の差よりも、大きくなる。第２期間Ｄ２２における推定需要量Ｗ３１、Ｗ３２の差が比較的大きくなるのは、例えば、第２期間Ｄ２２における推定発電量の大きさに基づくものである。
【００８３】
又、例えば、第１期間Ｄ２１（図８）、第３期間Ｄ２３における推定需要量Ｗ３１、Ｗ３２は夫々、第１期間Ｄ３１（図９）、第３期間Ｄ３３における推定需要量Ｗ３３、Ｗ３４と略同様となる。これは、例えば、第１期間Ｄ２１、Ｄ３１、第３期間Ｄ２３、Ｄ３３では、日射量が略０であり推定発電量が略０であることに基づくものである。
【００８４】
又、例えば、第２期間Ｄ２２（図８）における推定需要量Ｗ３１、Ｗ３２の差は、第２期間Ｄ３２（図９）における推定需要量Ｗ３３、Ｗ３４の差よりも大きくなっている。これは、例えば、推定需要量Ｗ３１、Ｗ３２と、推定需要量Ｗ３３、Ｗ３４との間で、日射量係数α１の係数値が異なることによるものである。
【００８５】
＜当該算出された推定需要量の規格化＞
予測式生成部３６は、例えば、日射量係数α１の係数値が実数２であるときの推定需要量、日射量係数α１の係数値が実数４．５であるときの推定需要量夫々を、推定需要量の日最高値で規格化する。尚、推定需要量の日最高値とは、例えば、規格化される推定需要量の各時刻が属する日における推定需要量の最高値を示す。例えば、日射量係数α１の係数値が実数２の場合（図８）の第１の日、第２の日の日最高値は夫々、最高点Ｐｅ１、Ｐｅ２における推定需要量である。例えば、日射量係数α１の係数値が実数４．５の場合（図９）の第１の日、第２の日の日最高値は夫々、最高点Ｐｅ３、Ｐｅ４における推定需要量である。
【００８６】
＜同じ曜日同士の波形の比較＞
予測式生成部３６は、日射量係数α１の係数値が実数２であるときの推定需要量のうちの、第１の日の推定需要量Ｗ３１と、第２の日の推定需要量Ｗ３２とを比較する。尚、予測式生成部３６は、上述のように規格化された推定需要量Ｗ３１と、規格化された推定需要量Ｗ３２の波形とを比較（以下、「第１の比較」とも称する）する。
【００８７】
又、予測式生成部３６は、日射量係数α１の係数値が実数４．５であるときの推定需要量のうちの、第１の日の推定需要量Ｗ３３と、第２の日の推定需要量Ｗ３４とを比較する。尚、予測式生成部３６は、上述のように規格化された推定需要量Ｗ３３と、規格化された推定需要量Ｗ３４の波形とを比較（以下、「第２の比較」とも称する）する。
【００８８】
＜日射量係数α１の係数値の決定＞
予測式生成部３６は、上述の第１の比較及び第２の比較に基づいて、日射量係数α１の係数値を決定する。予測式生成部３６は、第１の日の規格化された推定需要量と、第２の日の規格化された推定需要量との差が小さくなるように、日照量係数α１を決定する。予測式生成部３６は、例えば、日射量係数α１の係数値のパラメータ毎に、第１の日の規格化された推定需要量と第２の日の規格化された推定需要量との間のユークリッド距離の総和を算出し、当該算出されたユークリッド距離の総和が最小となるようなパラメータ値を、日射量係数α１の係数値に決定する。
【００８９】
例えば、日射量係数α１の係数値が実数４．５の場合の規格化された推定需要量Ｗ３３、Ｗ３４の差（ユークリッド距離の総和）が、日射量係数α１の係数値が実数２の場合の規格化された推定需要量Ｗ３１、Ｗ３２の差（ユークリッド距離の総和）よりも小さくなるので、予測式生成部３６は、日射量係数α１の係数値を実数２に決定する。
【００９０】
つまり、予測式生成部３６は、第１の日の推定需要量と、第２の日の推定需要量との差が最小となるように、日射量係数α１の係数値を決定する（定める）。
【００９１】
＝＝＝予測部＝＝＝
以下、図１及び図１０を参照して、本実施形態における予測部について説明する。図１０は、本実施形態における未来の時刻と日射量の予測値と予測発電量と予測需要量と予測潮流量とを示す図である。
【００９２】
予測部３７は、上述の配電線Ｌ１０の未来の需要量の予測値を算出する予測式、日射量係数α１等に基づいて、配電線Ｌ１０の未来の予測需要量、配電線Ｌ１０の未来の予測潮流量、発電機Ｇ１の未来の予測発電量を算出する。
【００９３】
予測部３７は、以下の式５に基づいて例えば現在から２４時間経過後までの未来の予測発電量ｗ２（Ｔｆｊ）を算出する（図１０）。
0005461717.tif 000006
尚、式５のｊは、整数１〜ｎの全てに対応している。
【００９４】
つまり、予測部３７は、未来情報Ｄ２（図５）における未来の日照量の予測値Ｐ２（Ｔｆ１）乃至Ｐ２（Ｔｆｎ）と、日射量係数α１との積に基づいて、未来の予測発電量ｗ２（Ｔｆｊ）を算出する。
【００９５】
予測部３７は、前述の予測式（式４）に基づいて、未来の予測需要量ｗ３（Ｔｆｊ）を算出する（図１０）。尚、ｊは、式５のｊと同様な整数である。
【００９６】
予測部３７は、以下の式６に基づいて、未来の予測潮流量ｗ１（Ｔｆｊ）を算出する（図１０）。  
0005461717.tif 000007
尚、式６のｊは、式５のｊと同様な整数である。
【００９７】
＝＝＝予測式生成部が日射量係数の係数値を決定する動作＝＝＝
以下、図１１を参照して、本実施形態における予測式生成部が日射量係数の係数値を決定する動作について説明する。図１１は、本実施形態における予測式生成部が日射量係数の係数値を決定する動作を示すフローチャートである。
【００９８】
例えば、第１の領域３５１に記憶されている予測式を生成するためのプログラムの起動が開始されて、予測式生成部３６が、予測式を生成するために日射量係数α１を決定する動作を開始したところから説明する。
【００９９】
予測式生成部３６は、過去情報Ｄ１から所定の情報を抽出する（ステップＳ１１）。予測式生成部３６は、過去の所定期間における過去の潮流量ｗ３と、過去の日射量Ｐ１を過去情報Ｄ１から抽出する。
【０１００】
予測式生成部３６は、抽出された情報に基づいて、過去の推定需要量を算出する（ステップＳ１２）。予測式生成部３６は、前述したように、日射量係数α１の係数値をパラメータとして、当該パラメータの値の個数分だけの複数の過去の推定需要量を算出する。つまり、例えば、上述したように、日射量係数α１の係数値のパラメータ値が２と４．５の２個の場合、予測式生成部３６は、推定需要量を２パターン算出する。又、例えば、当該日射量係数α１の係数値のパラメータ値が３個の場合、予測式生成部３６は、推定需要量を３パターン算出する。
【０１０１】
予測式生成部３６は、当該算出された過去の推定需要量を、推定需要量の日最高値で規格化する（ステップＳ１３）。
【０１０２】
予測式生成部３６は、同じ曜日における規格化された推定需要量同士を比較する（ステップＳ１４）。
【０１０３】
予測式生成部３６は、ステップＳ１４の比較結果に基づいて、比較された規格化された推定需要量間の差が小さくなるように、日射量係数α１の係数値を決定する（ステップＳ１５）。予測式生成部３６は、例えば、比較された規格化された推定需要量のユークリッド距離の総和が最小となるように、日射量係数α１の係数値を決定する。
【０１０４】
尚、予測式生成部３６で決定された日射量係数α１は、例えば、第３の領域３５３に記憶されるものとする。尚、例えば、未来の予測潮流量を予測する予測者による日射量係数α１の係数値を決定（メンテナンス）が不要となるので、未来の予測潮流量の予測が容易となる。
【０１０５】
＝＝＝予測装置の動作＝＝＝
以下、図１２を参照して、本実施形態における予測装置の動作について説明する。図１２は、本実施形態における予測装置の動作を示すフローチャートである。
【０１０６】
例えば、第１の領域３５１に記憶されている予測装置３を動作させるためのプログラムが開始されて、制御部３８が、予測装置３の制御動作を開始したところから説明する。
【０１０７】
予測装置３は、予測要求の受付を開始する（ステップＳ２１）。尚、予測要求とは、予測装置３による予測動作を開始させるための命令である。予測要求は、例えば、入力部３１から予測装置３に入力されることとしてもよい。
【０１０８】
予測装置３は、予測要求が入力された後、予測式（例えば式４）を作成する（ステップＳ２２）。予測装置３は、例えば、第３の領域３５３に記憶されている日射量係数α１の係数値を示す情報に基づいて、予測式を作成する。尚、例えば、予測装置３は、日射量係数α１の係数値を新たに決定し、当該決定された日射量係数α１の係数値に基づいて予測式を作成することとしてもよい。
【０１０９】
予測式が生成された後、予測装置３は、当該作成された予測式及び日射量係数α１等に基づいて、配電線Ｌ１０の未来の予測需要量、配電線Ｌ１０の未来の予測潮流量、発電機Ｇ１の未来の予測発電量を算出する（ステップＳ２３）。
【０１１０】
つまり、予測装置３は、配電線Ｌ１０の過去の潮流量における電力が発生した後に、配電線Ｌ１０の未来の潮流量における電力を発生させるべく、配電線Ｌ１０の未来の予測潮流量を予測している。
【０１１１】
予測装置３は、ステップＳ２３での算出結果を出力する。予測装置３は、例えば、当該算出結果を示す情報を表示部３３に表示したり出力部３２から出力したりする。
【０１１２】
[第２実施形態]
＝＝＝配電系統＝＝＝
以下、図１３を参照して、本実施形態における配電系統について説明する。図１３は、本実施形態における配電系統を示す図である。尚、図１と同様な構成については、同一の符号を付し、その説明については省略する。
【０１１３】
配電系統１００Ａは、気象情報装置４Ａ、予測装置３Ａを有する。
【０１１４】
気象情報装置４Ａは、負荷Ｒ１、Ｒ２が設けられている地域夫々の現在の気温及び天候、発電機Ｇ１、Ｇ２が設けられている地域夫々の現在の日射量を示す気象情報Ｓ５１を出力する装置である。尚、気象信号Ｓ５１は、現在の時刻を示す情報と上述の現在の気温、天候及び日射量を示す情報とが対応付けられている信号であることとする。気象情報装置４Ａは、例えば気象庁に設けられている。気象情報装置４Ａは、例えば負荷Ｒ１、Ｒ２が設けられている地位夫々に設けられた気象情報測定装置（不図示）からの気象情報に基づいて、気象信号Ｓ４１を出力する。尚、気象情報とは、例えば、負荷Ｒ１、Ｒ２、発電機Ｇ１、Ｇ２が設けられている地域夫々における、気温、湿度、雨量、雲量、風速、日射量等である。
【０１１５】
気象情報装置４Ａは、発電機Ｇ１、Ｇ２が設けられている地域夫々における未来（将来）の日射量の予測値を示す気象信号Ｓ４２を更に出力する。
【０１１６】
予測装置３Ａは、第１測定信号Ｓ１１、Ｓ２１、気象信号Ｓ５１、Ｓ４２等に基づいて、未来の配電線Ｌ１０の需要量、未来の配電線Ｌ１０の潮流量、未来の発電機Ｇ１の発電量、未来の配電線Ｌ２０の需要量、未来の配電線Ｌ２０の潮流量、未来の発電機Ｇ２の発電量を予測し、当該予測結果を出力する装置である。
【０１１７】
＝＝＝予測装置＝＝＝
以下、図３及び図１３を参照して、本実施形態における予測装置について説明する。予測装置３Ａ（図３）は、記憶部３５Ａ、予測式生成部３６Ａを有する。
【０１１８】
記憶部３５Ａは、例えば、第２の領域３５２Ａを有する。
【０１１９】
第２の領域３５２Ａには、過去情報Ｄ１１（図４）が記憶される。尚、過去情報Ｄ１１は、送受信部３４で受信した第１測定信号Ｓ１１、気象信号Ｓ５１に基づく情報である。つまり、過去情報Ｄ１１は、過去における情報である。過去情報Ｄ１１では、第１測定信号Ｓ１１及び気象信号Ｓ５１に示されている時刻と、第１測定信号Ｓ１１に示されている配電線Ｌ１０の潮流量と、気象信号Ｓ５１に示されている負荷Ｒ１が設けられている地域の気温、発電機Ｇ１が設けられている地域の日射量、及び負荷Ｒ１が設けられている地域の天候とが相互に対応付けられた情報である。
【０１２０】
予測式生成部３６Ａは、過去情報Ｄ１１等に基づいて、日射量係数α１、α２を決定したり、予測式を生成したりする。尚、予測式生成部３６Ａが日射量係数α１、α２を決定したり、予測式を生成したりする構成は、第１実施形態の予測式生成部３６が日射量係数α１、α２を決定したり、予測式を生成したりする構成と同様であることとする。
【０１２１】
前述したように、予測装置３は、配電線Ｌ１０の未来の予測潮流量を予測する。尚、配電線Ｌ１０には、負荷Ｒ１と、負荷Ｒ１に対して電力を供給するための発電機Ｇ１が接続されている。予測装置３は、負荷Ｒ１に過去の需要量Ｗ３における電力が供給された後、過去の推定需要量に基づいて、配電線Ｌ１０の未来の予測需要量を予測する。又、予測装置３は、発電機Ｇ１から負荷Ｒ１に向けて過去の発電量Ｗ２における電力が発生した後、発電機Ｇ１が設けられている位置における日射量の予測値（未来情報Ｄ２）と日射量係数α１の係数値との積に応じて、発電機Ｇ１から負荷Ｒ１に向けて発生するべき未来の予測発電量を予測する。更に、予測装置３は、未来の予測需要量と、未来の予測発電量との差に応じて、未来の予測潮流量を予測する。過去の推定需要量は、発電機Ｇ１が設けられている位置における過去の発電量Ｗ２における電力が発生している際の日射量の値（過去情報Ｄ１）及び日射量係数α１の係数値の積に応じた過去の推定発電量と、過去の潮流量Ｗ１との和である。日射量係数α１の係数値は、第１の日の推定需要量（過去の需要量Ｗ３の推定値）と、第２の日の推定需要量（過去の需要量Ｗ３の推定値）との差が最小となるように定められる。以上より、予測装置３は、未来の予測需要量と未来の予測発電量とを別個に予測した上で、当該未来の予測需要量と未来の予測発電量との差に応じて、未来の予測潮流量を予測する。つまり、予測装置３は、例えば発電機Ｇ１の設けられている位置の日射量の変動による発電機Ｇ１の発電量の変動を考慮した上で、未来の予測潮流量を予測することができる。又、日射量係数α１の係数値は、第１の日の推定需要量と、第２の日の推定需要量との差が最小となるように定められるので、予測発電量の予測精度を向上させることができる。従って、配電線Ｌ１０における発電機Ｇ１よりも上流側において発生させるべき電力の値（未来の予測潮流量）の予測精度を向上させることができる。
【０１２２】
又、第１の日（第１期間）、第２の日（第２期間）は夫々、同じ曜日であって異なる日に設定される。よって、日射量係数α１の係数値は、一般的に需要量が同様となる同じ曜日である第１の日及び第２の日における、推定需要量に基づいて定められることになる。つまり、日射量係数α１は、未来の予測発電量の予測が精度良く行なわれるように定められることになる。従って、予測装置３は、未来の予測発電量を精度よく予測することにより、未来の予測潮流量の予測精度を向上させることができる。
【０１２３】
又、第１測定装置Ｍ１１は、母線Ｌ１から配電線Ｌ１０に供給される電力Ｗ１を測定する。予測装置３は、第１測定装置Ｍ１１の測定結果に基づいて、過去の推定需要量を算出する。よって、母線Ｌ１から配電線Ｌ１０に供給される電力Ｗ１の測定結果が、未来の予測需要量に反映されることになる。従って、予測装置３は、未来の予測需要量を精度よく予測することにより、未来の予測潮流量の予測精度を更に向上させることができる。
【０１２４】
又、第２測定装置Ｍ１２は、負荷Ｒ１が設けられている位置の気温を測定する。予測装置３は、過去の推定需要量と第２測定装置Ｍ１２の測定結果に応じて定められる予測式（式４）に基づいて、未来の予測需要量を算出する。よって、予測装置３は、負荷Ｒ１が設けられている位置の気温に関する情報が反映された予測式に基づいて、未来の予測需要量を算出する。従って、未来の予測需要量の予測を精度更に良くするにより、未来の予測潮流量の予測精度を更に向上させることができる。
【０１２５】
又、気象情報装置４及び気象情報測定装置は、負荷Ｒ１が設けられている位置の天候（天気）を観測する。予測式（式４）は、気象情報装置４及び気象情報測定装置の観測結果にも応じて定められる。よって、予測装置３は、負荷Ｒ１が設けられている位置の天候（天気）に関する情報が更に反映された予測式に基づいて、未来の予測需要量を算出する。従って、未来の予測需要量の予測を精度更に良くするにより、未来の予測潮流量の予測精度を更に向上させることができる。
【０１２６】
又、記憶部３５の第３の領域３５３には、日射量係数α１の係数値を示すデータが記憶される。予測装置３は、日射量係数α１の係数値を示すデータに基づいて未来の予測潮流量を予測する。よって、予測装置３が予測潮流量を予測する際の日射量係数α１の係数値の決定が不要となる。従って、未来の予測潮流量を迅速に予測することが可能な予測装置３を提供することができる。
【０１２７】
尚、上記第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１２８】
第１実施形態においては、過去の需要量推定値（ｗ３（Ｔｊ））（図７）、過去の気温（Ｔｅ（Ｔｊ））（図４）、過去の天候（Ｅ（Ｔｊ））に基づいて予測式（式４）が生成されることについて説明したが、これに限定されるものではない。例えば、上述の過去の需要量推定値（ｗ３（Ｔｊ））、過去の気温（Ｔｅ（Ｔｊ））、過去の天候（Ｅ（Ｔｊ））と、季節とに基づいて予測式が生成されることとしてもよい。
【０１２９】
又、第１実施形態においては、第２測定装置Ｍ１２が、負荷Ｒ１が設けられている地域の現在の気温及び発電機Ｇ１が設けられている地域の現在の日射量を測定し、当該測定結果を示す第２測定信号Ｓ１２を出力することについて説明したが、これに限定されるものではない。例えば、第２測定装置Ｍ１２が、変電所２００が設けられている地域の現在の気温及び日射量を測定し、当該測定結果を示す第２測定信号を出力することとしてもよい。
【０１３０】
又、第１実施形態においては、気象情報装置４及び気象情報測定装置が、負荷Ｒ１が設けられている地域の天候を観測することについて説明したが、これに限定されるものではない。例えば、第２測定装置Ｍ１２が、負荷Ｒ１が設けられている地域の天候を観測することとしてもよい。
【符号の説明】
【０１３１】
３、３Ａ            予測装置
４、４Ａ            気象情報装置
３５、３５Ａ        記憶部
３６、３６Ａ        予測式生成部
３７                予測部
１００、１００Ａ    配電系統
３５３              第３の領域
Ｇ１、Ｇ２          発電機
Ｌ１                母線
Ｌ１０、Ｌ２０      配電線
Ｌ２００            送電線
Ｍ１１、Ｍ２１      第１測定装置
Ｍ１２、Ｍ２２      第２測定装置
Ｒ１、Ｒ２          負荷
【要約】      （修正有）【課題】分散型電源よりも上流側において発生させるべき電力の値の予測精度を向上させる電力予測装置を提供する。【解決手段】電力負荷と、前記電力負荷に対して電力を供給するための分散型電源と、が接続されている電力線における、前記分散型電源よりも上流側において第１電力が発生した後に第２電力を発生させるべく前記第２電力の値を予測する電力予測装置であって、前記電力負荷に第３電力が供給された後、前記第３電力の値に基づいて、前記電力負荷に供給されるべき第４電力の値を予測する第１予測部と、前記分散型電源から前記電力負荷に向けて第５電力が発生した後、前記分散型電源が設けられている位置における日射量の予測値と定数との積に応じて、前記分散型電源から前記電力負荷に向けて発生するべき第６電力の値を予測する第２予測部と、前記第４電力の値と前記第６電力の値との差に応じて、前記第２電力の値を予測する第３予測部と、を備える。【選択図】図１【図１】
0005461717.tif 000008
【図２】
0005461717.tif 000009
【図３】
0005461717.tif 000010
【図４】
0005461717.tif 000011
【図５】
0005461717.tif 000012
【図６】
0005461717.tif 000013
【図７】
0005461717.tif 000014
【図８】
0005461717.tif 000015
【図９】
0005461717.tif 000016
【図１０】
0005461717.tif 000017
【図１１】
0005461717.tif 000018
【図１２】
0005461717.tif 000019
【図１３】
0005461717.tif 000020